(57)【特許請求の範囲】
【請求項１】
底面に排水口を有する浴槽と、
前記浴槽を載置する浴槽載置台と、
前記浴槽載置台への取り付けが可能な取付部と、前記排水口への接続が可能な接続部と、を有する排水管と、
前記排水管を前記浴槽載置台に対して上方へ付勢する付勢手段と、
を備え、
前記付勢手段により上方へ付勢された状態の前記排水管の前記接続部は、前記排水口の被接続部に水密状に接続されることを特徴とする浴槽の排水口構造。
【請求項２】
前記排水管は、前記浴槽載置台の上面に載置可能な底面を含むフランジを有し、
前記取付部は、
前記フランジの外周に設けられ前記浴槽載置台の上面との間に空間を形成する鍔部と、
前記鍔部に形成された貫通孔を上方から貫通し前記浴槽載置台に締結される頭付きねじと、
前記付勢手段と、
を有し、
前記フランジの底面と前記鍔部の上面との間の寸法は、前記浴槽載置台に締結された状態の前記頭付きねじの頭の下面と前記浴槽載置台の上面との間の寸法よりも小さく、
前記鍔部は、前記付勢手段により前記頭付きねじの頭に向けて付勢されたことを特徴とする請求項１記載の浴槽の排水口構造。
【請求項３】
前記取付部は、複数の前記鍔部を有し、
前記複数の前記鍔部は、前記フランジの中心軸に対して対称となる位置に設けられ、
前記付勢手段は、前記浴槽載置台の上面と前記鍔部の下面との間において前記頭付きねじに挿通されるコイルばねであることを特徴とする請求項２記載の浴槽の排水口構造。
【発明の詳細な説明】
【技術分野】
【０００１】
本発明の態様は、一般的に、浴槽の排水口構造に関する。
【背景技術】
【０００２】
浴槽の排水口構造の例として、例えば、浴槽を載置する防水パンと、防水パンの下側に取着した排水部材としてのエルボ部材と、を備えた遠隔操作式排水栓装置がある（特許文献１）。特許文献１に記載された遠隔操作式排水栓装置では、浴槽の排水口とエルボ部材とを水密的に接続する接続管が設けられている。
【０００３】
しかし、特許文献１に記載された浴槽の排水口構造では、浴槽の製造過程での寸法誤差が生じた場合や、防水パンの反りなどの変形や製造過程での寸法誤差が生じた場合や、施工者が接続管の接続を忘れた場合などにより、エルボ部材と接続管との間に隙間が生ずるおそれがある。そうすると、その隙間から漏水するおそれがある。
【先行技術文献】
【特許文献】
【０００４】
【特許文献１】特開２００１−２９５３４３号公報
【発明の概要】
【発明が解決しようとする課題】
【０００５】
本発明は、かかる課題の認識に基づいてなされたものであり、浴槽と排水管との間から漏水することを防止することができる浴槽の排水口構造を提供することを目的とする。
【課題を解決するための手段】
【０００６】
第１の発明は、底面に排水口を有する浴槽と、前記浴槽を載置する浴槽載置台と、前記浴槽載置台への取り付けが可能な取付部と、前記排水口への接続が可能な接続部と、を有する排水管と、前記排水管を前記浴槽載置台に対して上方へ付勢する付勢手段と、を備え、前記付勢手段により上方へ付勢された状態の前記排水管の前記接続部は、前記排水口の被接続部に水密状に接続されることを特徴とする浴槽の排水口構造である。
【０００７】
この浴槽の排水口構造によれば、付勢手段が排水管を浴槽載置台に対して上方へ付勢するため、浴槽の接続部（被接続部）と排水管の接続部との間に隙間が生ずることを防止することができる。そのため、漏水をより確実に防止することができる。  
また例えば、施工者が排水管の排水口への接続を忘れた場合でも、付勢手段が排水管を浴槽載置台に対して上方へ付勢しているため、漏水をより確実に防止することができる。  さらに、浴槽の製造過程での寸法誤差が生じたり、浴槽載置台の反りなどの変形や製造過程での寸法誤差が生じた場合でも、付勢手段により寸法誤差や変形を吸収することができる。
【０００８】
第２の発明は、第１の発明において、前記排水管は、前記浴槽載置台の上面に載置可能な底面を含むフランジを有し、前記取付部は、前記フランジの外周に設けられ前記浴槽載置台の上面との間に空間を形成する鍔部と、前記鍔部に形成された貫通孔を上方から貫通し前記浴槽載置台に締結される頭付きねじと、前記付勢手段と、を有し、前記フランジの底面と前記鍔部の上面との間の寸法は、前記浴槽載置台に締結された状態の前記頭付きねじの頭の下面と前記浴槽載置台の上面との間の寸法よりも小さく、前記鍔部は、前記付勢手段により前記頭付きねじの頭に向けて付勢されたことを特徴とする浴槽の排水口構造である。
【０００９】
この浴槽の排水口構造によれば、頭付きねじおよび付勢手段を用いた安価で簡素な構造により、排水口からの漏水を確実に防止することができる。
【００１０】
第３の発明は、第２の発明において、前記取付部は、複数の前記鍔部を有し、前記複数の前記鍔部は、前記フランジの中心軸に対して対称となる位置に設けられ、前記付勢手段は、前記浴槽載置台の上面と前記鍔部の下面との間において前記頭付きねじに挿通されるコイルばねであることを特徴とする浴槽の排水口構造である。
【００１１】
この浴槽の排水口構造によれば、付勢手段は、排水管を略水平状態に維持しつつ上方へ移動させることができる。言い換えれば、付勢手段は、排水口の水密性を損なわないように排水管をバランスよく上方へ付勢することができる。これにより、排水口からの漏水を確実に防止することができる。
【発明の効果】
【００１２】
本発明の態様によれば、浴槽と排水管との間から漏水することを防止することができる浴槽の排水口構造が提供される。
【図面の簡単な説明】
【００１３】
【図１】本実施形態にかかる浴槽の排水口構造が設けられた浴室ユニットを表す模式的斜視図である。
【図２】本実施形態にかかる浴槽の排水口構造が設けられた浴室ユニットを表す模式的平面図である。
【図３】図２に表した切断面Ａ−Ａにおける模式的断面図である。
【図４】図２に表した切断面Ｂ−Ｂにおける模式的断面図である。
【図５】本実施形態のトラップユニットを表す模式的斜視図である。
【図６】本実施形態の架台を表す模式的斜視図である。
【図７】本実施形態のトラップユニットの取付構造を説明するための模式的斜視図である。
【図８】浴槽の接続部と排水エルボの接続部とを接続させる前の状態を表す模式的分解図である。
【図９】浴槽の接続部と排水エルボの接続部とを接続させる前の状態を表す模式的分解図である。
【図１０】浴槽の接続部と排水エルボの接続部とを接続させた直後の状態を表す模式的平面図である。
【図１１】浴槽の接続部と排水エルボの接続部とを接続させた後の状態を表す模式的平面図である。
【図１２】浴槽の接続部と排水エルボの接続部とを接続させた後の状態を表す模式的平面図である。
【発明を実施するための形態】
【００１４】
以下、本発明の実施の形態について図面を参照しつつ説明する。なお、各図面中、同様の構成要素には同一の符号を付して詳細な説明は適宜省略する。  
図１は、本実施形態にかかる浴槽の排水口構造が設けられた浴室ユニットを表す模式的斜視図である。  
図２は、本実施形態にかかる浴槽の排水口構造が設けられた浴室ユニットを表す模式的平面図である。  
なお、図１は、建物床の側から眺めたときの浴室ユニットを表す模式的斜視図である。図２は、上方から眺めたときの浴室ユニットを表す模式的平面図であり、洗い場床パン２００を省略して表している。
【００１５】
図１に表した浴室ユニット１０は、架台１００と、洗い場床パン２００と、浴槽３００と、トラップユニット４００と、を備える。  
架台１００は、洗い場用架台１１０と、浴槽用架台（浴槽載置台）１２０と、を有する。洗い場用架台１１０は、洗い場床パン２００を支持する。言い換えれば、洗い場床パン２００は、洗い場用架台１１０に載置されている。浴槽用架台１２０は、浴槽３００を支持する。言い換えれば、浴槽３００は、浴槽用架台１２０に載置されている。
【００１６】
洗い場用架台１１０は、下部に設けられた支持脚１１１を有する。一方、浴槽用架台１２０は、下部に設けられた支持脚１２１を有する。図１に表したように、浴槽用架台１２０は、連結材１１３を介して例えばねじなどの締結部材（図示せず）により洗い場用架台１１０と連結されている。架台１００は、洗い場用架台１１０と浴槽用架台１２０とが連結された状態で、図示しない建物床の上に載置されている。
【００１７】
図２に表したように、浴槽３００は、浴槽排水口３１０を底面に有する。浴槽３００内の水は、浴槽排水口３１０を通過し、トラップユニット４００へ導かれる。そして、トラップユニット４００へ導かれた水は、洗い場床パン２００の下（裏側）に設けられた排出管６１０を通過して排出される。つまり、浴槽排水口３１０は、浴槽３００内の水を排出することができる。
【００１８】
洗い場床パン２００は、図示しない洗い場排水口を有し、使用者が例えば身体を洗浄可能な洗い場を形成する。洗い場床パン２００の上（表側）の水は、洗い場排水口を通過し、トラップユニット４００へ導かれる。そして、トラップユニット４００へ導かれた水は、洗い場床パン２００の下（裏側）に設けられた排出管６１０を通過して排出される。つまり、洗い場排水口は、洗い場の水を排出することができる。  
なお、本願明細書において「水」という場合には、冷水のみならず、加熱されたお湯も含むものとする。
【００１９】
図１に表したように、トラップユニット４００は、架台１００に取り付けられ固定されている。トラップユニット４００は、洗い場排水口を介して洗い場から排出された水を受けることができる。また、トラップユニット４００は、浴槽排水口３１０を介して浴槽３００内から排出された水を受けることができる。そして、トラップユニット４００は、洗い場および浴槽３００から導かれた水を排出管６１０へ排出することができる。
【００２０】
図３は、図２に表した切断面Ａ−Ａにおける模式的断面図である。  
図４は、図２に表した切断面Ｂ−Ｂにおける模式的断面図である。
【００２１】
図１および図４に表したように、トラップユニット４００は、排水トラップ本体４１０と、排水エルボ（排水管）４２０と、排水接続管４３０と、を有する。  
排水エルボ４２０は、浴槽用架台１２０に取り付けられ固定されている。そして、排水エルボ４２０は、浴槽排水口３１０と接続されている。  
排水トラップ本体４１０は、洗い場用架台１１０に取り付けられ固定されている。そして、排水トラップ本体４１０は、洗い場排水口と接続されている。  
排水接続管４３０は、排水トラップ本体４１０と、排水エルボ４２０と、を接続している。
【００２２】
図３に表したように、排水エルボ４２０は、フランジ４２１と、取付部４２５と、接続部４２７と、を有する。  
フランジ４２１は、浴槽用架台１２０の上面１２２に載置可能な底面４２１ａを有する。取付部４２５は、排水エルボ４２０の浴槽用架台１２０への取り付けを可能としている。接続部４２７は、排水エルボ４２０の浴槽排水口３１０への接続を可能としている。
【００２３】
ここで例えば、浴槽３００の製造過程での寸法誤差が生じたり、架台１００の反りなどの変形や製造過程での寸法誤差が生ずると、浴槽３００の接続部３２０（被接続部）と排水エルボ４２０の接続部４２７との間において隙間が生ずる場合がある。そうすると、その隙間から漏水するおそれがある。
【００２４】
これに対して、本実施形態にかかる浴槽の排水口構造では、図３に表したように、取付部４２５は、鍔部４２５ｅと、座金４２５ａと、コイルばね（付勢手段）４２５ｂと、止め輪４２５ｃと、頭付きねじ４２５ｄと、を有する。なお、本実施形態にかかる浴槽の排水口構造では、付勢手段（コイルばね４２５ｂ）が取付部４２５に含まれる場合を例示するが、これだけに限定されるわけではない。例えば、付勢手段は、板ばねやゴムなどの弾性体により形成され、取付部４２５とは異なる位置に設けられていてもよい。
【００２５】
鍔部４２５ｅは、フランジ４２１の外周において径外方向へ突出し、浴槽用架台１２０の上面１２２との間に空間を形成する。また、鍔部４２５ｅは、貫通孔４２５ｆ（図８参照）を有する。コイルばね４２５ｂは、鍔部４２５ｅの貫通孔４２５ｆに通された状態の頭付きねじ４２５ｄに挿通されている。そして、止め輪４２５ｃが、頭付きねじ４２５ｄの外周に形成された溝４２５ｇ（図８参照）に係合されている。これにより、コイルばね４２５ｂは、止め輪４２５ｃと座金４２５ａとの間に圧縮された状態で固定されている。このとき、フランジ４２１の底面４２１ａと鍔部４２５ｅの上面との間の寸法Ｄ１は、浴槽用架台１２０に締結された状態の頭付きねじ４２５ｄの頭の下面と浴槽用架台１２０の上面との間の寸法Ｄ２よりも小さい。
【００２６】
そのため、コイルばね４２５ｂは、鍔部４２５ｅを上方へすなわち頭付きねじ４２５ｄの頭の方向へ付勢している。言い換えれば、コイルばね４２５ｂは、排水エルボ４２０を浴槽用架台１２０に対して上方へ付勢している。これにより、コイルばね４２５ｂにより上方へ付勢された状態の排水エルボ４２０の接続部４２７は、浴槽排水口３１０の接続部３２０に水密状に接続される。
【００２７】
具体的には、図３に表したように、浴槽３００の接続部３２０と、排水エルボ４２０の接続部４２７と、の間には、第１のパッキン３７１と、第２のパッキン３７２と、第３のパッキン３７３と、が設けられている。前述したように、コイルばね４２５ｂが排水エルボ４２０を浴槽用架台１２０に対して上方へ付勢しているため、第１のパッキン３７１と、第２のパッキン３７２と、第３のパッキン３７３と、は、浴槽３００の接続部３２０と排水エルボ４２０の接続部４２７との間で押し潰される。そのため、浴槽３００の接続部３２０と排水エルボ４２０の接続部４２７との間に隙間が生ずることを防止し、より確実に止水構造を形成できる。  
そして、締付フランジ３３０を排水エルボ４２０に締結することで、浴槽３００の接続部３２０と、排水エルボ４２０の接続部４２７と、を固定することができる。
【００２８】
本実施形態の浴槽３００の浴槽排水口３１０の部分には、栓蓋３８１とケース３８３とが設けられている。ケース３８３は、排水エルボ４２０に取り付けられ、栓蓋３８１を上下移動自在に支持している。栓蓋３８１の下部には、レリースワイヤ３８７の一端が接続されている。レリースワイヤ３８７の他端は、例えば浴槽３００の上部に取り付けられた図示しない操作ボタンに接続されている。レリースワイヤ３８７は、排水エルボ４２０の側方部に連結されたガイド筒３８５に内蔵されている。使用者は、図示しない操作ボタンを操作することで栓蓋３８１の開閉動作（上下動作）を遠隔操作することができる。但し、本実施形態では、栓蓋３８１の遠隔操作を可能とする機構は、必ずしも設けられていなくともよい。
【００２９】
本実施形態によれば、コイルばね４２５ｂが排水エルボ４２０を上方へ付勢するため、浴槽３００の接続部３２０と排水エルボ４２０の接続部４２７との間に隙間が生ずることを防止することができる。そのため、漏水をより確実に防止することができる。  
また、例えば施工者が排水エルボ４２０の浴槽排水口３１０への接続を忘れた場合、具体的には締付フランジ３３０を排水エルボ４２０に締結することを忘れた場合でも、コイルばね４２５ｂが排水エルボ４２０を上方へ付勢しているため、漏水をより確実に防止することができる。  
さらに、浴槽３００の製造過程での寸法誤差が生じたり、架台１００の反りなどの変形や製造過程での寸法誤差が生じた場合でも、付勢手段により寸法誤差や変形を吸収することができる。
【００３０】
次に、本実施形態にかかる浴槽の排水口構造について、図面を参照しつつさらに説明する。  
図５は、本実施形態のトラップユニットを表す模式的斜視図である。
【００３１】
図４に関して前述したように、本実施形態のトラップユニット４００は、排水トラップ本体４１０と、排水エルボ４２０と、排水接続管４３０と、を有する。  
排水エルボ４２０は、フランジ４２１と、取付部４２５と、接続部４２７と、を有する。排水エルボ４２０の側方部には、ガイド筒３８５が連結されている。
【００３２】
図３に関して前述したように、取付部４２５は、鍔部４２５ｅと、座金４２５ａと、コイルばね４２５ｂと、止め輪４２５ｃと、頭付きねじ４２５ｄと、を有する。図５に表したように、例えば、トラップユニット４００の製造過程において、取付部４２５の組み立てが行われている。このとき、コイルばね４２５ｂが頭付きねじ４２５ｄから抜けて脱落することを止め輪４２５ｃが防止している。
【００３３】
このように、トラップユニット４００の製造過程において、取付部４２５の組み立てが行われていると、施工者などが施工現場においてこれらの部品を組み立てる手間を省くことができる。また、施工者などは、コイルばね４２５ｂや頭付きねじ４２５ｄなどを紛失することを防止できたり、あるいはトラップユニット４００の取り付け作業をより楽に行うことができる。
【００３４】
図６は、本実施形態の架台を表す模式的斜視図である。  
図７は、本実施形態のトラップユニットの取付構造を説明するための模式的斜視図である。  
なお、図６（ａ）は、トラップユニット４００が取り付けられる前の架台１００を表す模式的斜視図である。図６（ｂ）は、トラップユニット４００が取り付けられた後の架台１００を表す模式的斜視図である。図６（ａ）および図６（ｂ）では、支持脚１１１、１２１を省略している。
【００３５】
図１に関して前述したように、本実施形態の架台１００は、洗い場用架台１１０と、浴槽用架台１２０と、を有する。図６（ａ）に表したように、浴槽用架台１２０には、洗い場用架台１１０の側に開口を有する開口部１２９が形成されている。そして、図６（ｂ）および図７に表したように、排水エルボ４２０の少なくとも一部は、洗い場用架台１１０の側から水平方向に浴槽用架台１２０の開口部１２９に挿入され、フランジ４２１において浴槽用架台１２０に保持されている。具体的には、フランジ４２１の底面４２１ａが浴槽用架台１２０の上面に載置されている。これによれば、浴槽用架台１２０の強度を低下させることなく、トラップユニット４００を保持することができる。
【００３６】
一方、排水トラップ本体４１０は、洗い場用架台１１０に載置されているわけではない。排水トラップ本体４１０の少なくとも一部は、洗い場用架台１１０の下面（洗い場床パン２００が載置される側とは反対側の面）に付設された状態で洗い場用架台１１０に取り付けられている。
【００３７】
図８および図９は、浴槽の接続部と排水エルボの接続部とを接続させる前の状態を表す模式的分解図である。  
図１０は、浴槽の接続部と排水エルボの接続部とを接続させた直後の状態を表す模式的平面図である。  
図１１および図１２は、浴槽の接続部と排水エルボの接続部とを接続させた後の状態を表す模式的平面図である。
【００３８】
図８に表したように、鍔部４２５ｅは、鍔部４２５ｅを貫通する貫通孔４２５ｆを有する。そして、頭付きねじ４２５ｄが鍔部４２５ｅの貫通孔４２５ｆに通されている。また、コイルばね４２５ｂは、鍔部４２５ｅの貫通孔４２５ｆに通された状態の頭付きねじ４２５ｄに挿通されている。頭付きねじ４２５ｄの外周には、止め輪４２５ｃを固定可能な溝４２５ｇが形成されている。止め輪４２５ｃは、頭付きねじ４２５ｄの溝４２５ｇに係合され固定されている。そして、頭付きねじ４２５ｄは、浴槽用架台１２０に締結されている。これにより、図９に表したように、排水エルボ４２０は、フランジ４２１の底面４２１ａが浴槽用架台１２０の上面に載置された状態で浴槽用架台１２０に固定されている。
【００３９】
図５に関して前述したように、排水エルボ４２０の取付部４２５の組み立て作業は、トラップユニット４００の製造過程において行われることがより好ましい。これによれば、施工者などは、コイルばね４２５ｂや頭付きねじ４２５ｄなどを紛失することを防止できたり、あるいはトラップユニット４００の取り付け作業をより楽に行うことができる。
【００４０】
施工者は、浴槽３００を浴槽用架台１２０の上に設置するときには、浴槽３００の接続部３２０と、排水エルボ４２０の接続部４２７と、の位置合わせを行う。具体的には、図８に表したように、施工者は、浴槽３００の接続部３２０に設けられた第１の凸部３２１を排水エルボ４２０の接続部４２７に設けられた第１の凹部４２７ａに差し込む。また、施工者は、浴槽３００の接続部３２０に設けられた第２の凸部３２２を排水エルボ４２０の接続部４２７に設けられた第２の凹部４２７ｂに差し込む。これにより、施工者は、浴槽３００の接続部３２０と、排水エルボ４２０の接続部４２７と、の位置合わせを行うことができる。
【００４１】
このとき、図１０に表したように、第１の凸部３２１を第１の凹部４２７ａに差し込んだ直後、および第２の凸部３２２を第１の凹部４２７ｂに差し込んだ直後においては、浴槽３００の荷重は、排水エルボ４２０にほとんどかかっていない。また、コイルばね４２５ｂは、排水エルボ４２０を上方へ付勢している。そのため、フランジ４２１の底面４２１ａと、浴槽用架台１２０の上面１２２と、の間には隙間が存在する。
【００４２】
本実施形態によれば、コイルばね４２５ｂが排水エルボ４２０を上方へ付勢しているため、浴槽３００の接続部３２０と排水エルボ４２０の接続部４２７との間に隙間が生ずることを防止することができる。そのため、漏水をより確実に防止することができる。また、浴槽３００の製造過程での寸法誤差が生じたり、架台１００の反りなどの変形や製造過程での寸法誤差が生じた場合でも、付勢手段により寸法誤差や変形を吸収することができる。
【００４３】
なお、図９に表した保護部材６２０は、浴槽３００の接続部３２０と、排水エルボ４２０の接続部４２７と、の位置合わせの際に、浴槽３００などが図３に関して前述したケース３８３と接触することを防止し、ケース３８３を保護するものである。保護部材６２０は、必ずしも設けられていなくともよい。また、排水エルボ４２０は、フランジ４２１の中心軸Ｃ１に対してガイド筒３８５の側とは反対の側において連結部４２９を有する。ガイド筒３８５は、連結部４２９にも連結可能である。例えば、図示しない操作ボタンの配置に応じて、ガイド筒３８５の連結先を適宜変更することができる。なお、ガイド筒３８５が連結されない少なくともいずれかの側の連結部４２９については、成型過程において塞ぐことができる。
【００４４】
続いて、図１２に表したように、施工者が、浴槽３００の脚３０１を浴槽用架台１２０の脚受け部１２７に載置すると、浴槽３００の荷重が排水エルボ４２０にかかる。すると、図１１に表したように、排水エルボ４２０のフランジ４２１は、浴槽３００の荷重を受け、コイルばね４２５ｂの付勢力に対抗して下方へ移動する。そして、フランジ４２１の底面４２１ａが浴槽用架台１２０の上面１２２と接触する。続いて、図８に表したように、施工者は、締付フランジ３３０を排水エルボ４２０に締結することで、浴槽３００の接続部３２０と、排水エルボ４２０の接続部４２７と、を固定することができる。
【００４５】
本実施形態によれば、施工者が締付フランジ３３０を排水エルボ４２０に締結することを忘れた場合でも、コイルばね４２５ｂが排水エルボ４２０を上方へ付勢しているため、漏水をより確実に防止することができる。また、頭付きねじ４２５ｄおよびコイルばね４２５ｂを用いた安価で簡素な構造により、浴槽排水口３１０からの漏水を確実に防止することができる。
【００４６】
図８、図１０、および図１１に表したように、本実施形態の取付部４２５は、複数の鍔部４２５ｅを有する。複数の鍔部４２５ｅは、フランジ４２１の中心軸Ｃ１に対して互いに対称となる位置に設けられている。これにより、コイルばね４２５ｂは、フランジ４２１を略水平状態に維持しつつ上方へ移動させることができる。言い換えれば、コイルばね４２５ｂは、浴槽排水口３１０の水密性を損なわないように排水エルボ４２０をバランスよく上方へ付勢することができる。これにより、浴槽排水口３１０からの漏水を確実に防止することができる。  
なお、本実施形態の排水エルボ４２０は、２つの取付部４２５を有しているが、取付部４２５の設置数あるいは設置形態は、これだけに限定されるわけではない。
【００４７】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、排水エルボ４２０や架台１００などが備える各要素の形状、寸法、材質、配置などや取付部４２５や接続部４２７の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００４８】
１０ 浴室ユニット、  １００ 架台、  １１０ 洗い場用架台、  １１１ 支持脚、  １１３ 連結材、  １２０ 浴槽用架台、  １２１ 支持脚、  １２２ 上面、  １２７ 脚受け部、  １２９ 開口部、  ２００ 洗い場床パン、  ３００ 浴槽、  ３０１ 脚、  ３１０ 浴槽排水口、  ３２０ 接続部、  ３２１ 第１の凸部、  ３２２ 第２の凸部、  ３３０ 締付フランジ、  ３７１ 第１のパッキン、  ３７２ 第２のパッキン、  ３７３ 第３のパッキン、  ３８１ 栓蓋、  ３８３ ケース、  ３８５ ガイド筒、  ３８７ レリースワイヤ、  ４００ トラップユニット、  ４１０ 排水トラップ本体、  ４２０ 排水エルボ、  ４２１ フランジ、  ４２１ａ 底面、  ４２５ 取付部、  ４２５ａ 座金、  ４２５ｂ コイルばね、  ４２５ｃ 止め輪、  ４２５ｄ 頭付きねじ、  ４２５ｅ 鍔部、  ４２５ｆ 貫通孔、  ４２５ｇ 溝、  ４２７ 接続部、  ４２７ａ 第１の凹部、  ４２７ｂ 第２の凹部、  ４２９ 連結部、  ４３０ 排水接続管、  ６１０ 排出管、  ６２０ 保護部材
【図１】
0005885127.tif 000002
【図２】
0005885127.tif 000003
【図３】
0005885127.tif 000004
【図４】
0005885127.tif 000005
【図５】
0005885127.tif 000006
【図６】
0005885127.tif 000007
【図７】
0005885127.tif 000008
【図８】
0005885127.tif 000009
【図９】
0005885127.tif 000010
【図１０】
0005885127.tif 000011
【図１１】
0005885127.tif 000012
【図１２】
0005885127.tif 000013